(57)【要約】  本発明の実施例によるカッター装置は、胴体にインサートを収容するポケットを備えており、前記ポケットの隣接部に形成されたネジ孔に締結されるスクリューによって変位する変形グリップ部によってインサートをクランピングするカッター装置であって、前記インサートは、上面と下面が互いに平行であり、対向側面が互いに平行な六面体形状であって、前記対向側面のいずれか一対は、長さ方向に延長されたグルーブが形成され、他の一対の対向側面は、上下部エッジに切削ブレードが形成され、前記ポケットは、２つの側壁、後面壁、及び底面壁で形成され、前面及び上面が開放され、一方の側壁は、前記インサートの一方の側面に形成されたグルーブに構造的に対応する形状の案内突出部が長さ方向に延長されて形成され、他方の側壁は、前記変形グリップ部の一部であって、インサートの他方の側面に形成されたグルーブに構造的に対応する案内突出部が長さ方向に延長されて形成され、前記スクリューは、ヘッド端部方向に拡径するテーパー部を有し、前記変形グリップ部は、前記ネジ孔を斜めに横切るスロットと前記ポケットの他方の側壁の下部エッジによって形成されるネック部を有し、前記スクリューが締められるとき、テーパー部の加圧によって前記両案内突出部の間隔が狭くなるように弾性変位することを特徴とする。本発明によるカッター装置は、インサート交替作業が大きく短縮される効果がある。【選択図】図２
2013523468.tif 000002
【特許請求の範囲】
【請求項１】
胴体にインサートを収容するポケットを備えており、前記ポケットの隣接部に形成されたネジ孔に締結されるスクリューによって変位する変形グリップ部によってインサートをクランピングするカッター装置であって、
前記インサートは、上面と下面が互いに平行であり、対向側面が互いに平行な六面体形状であって、前記対向側面のいずれか一対は、長さ方向に延長されたグルーブが形成され、他の一対の対向側面は、上下部エッジに切削ブレードが形成され、
前記ポケットは、２つの側壁、後面壁、及び底面壁で形成され、前面及び上面が開放され、一方の側壁は、前記インサートの一方の側面に形成されたグルーブに構造的に対応する形状の案内突出部が長さ方向に延長されて形成され、他方の側壁は、前記変形グリップ部の一部であって、インサートの他方の側面に形成されたグルーブに構造的に対応する案内突出部が長さ方向に延長されて形成され、
前記スクリューは、ヘッド端部方向に拡径するテーパー部を有し、  
前記変形グリップ部は、前記ネジ孔を斜めに横切るスロットと前記ポケットの他方の側壁の下部エッジによって形成されるネック部を有し、前記スクリューが締められるとき、テーパー部の加圧によって前記両案内突出部の間隔が狭くなるように弾性変位することを特徴とするカッター装置。
【請求項２】
前記スロットの形成方向は、前記ネック部の断面が平行な対向辺を有するようにしたことを特徴とする請求項１に記載のカッター装置。
【請求項３】
前記変形グリップ部は、前記ポケットからカッター胴体の内側に向けて形成される補助スロットによって胴体から区画されることを特徴とする請求項１に記載のカッター装置。
【請求項４】
前記インサートのグルーブは、その断面が対称の凹状円弧形状を有することを特徴とする請求項１に記載のカッター装置。
【請求項５】
前記両案内突出部間の非変位間隔は、インサートの上面及び下面の幅より小さく、インサートの両グルーブが形成する最小幅より大きいことを特徴とする請求項１に記載のカッター装置。
【発明の詳細な説明】
【技術分野】
【０００１】
本発明は、インサートを迅速に交換することができるカッター装置に関する。
【背景技術】
【０００２】
一般的に、被削材から一度に多い量を加工するために、ミーリングカッター（Ｅｄｇｅ  Ｍｉｌｌ  Ｃｕｔｔｅｒ）が多く使用される。このようなミーリングカッターは、例えば、図１に示されたように、多数のスクリュー直接固定式（Ｓｃｒｅｗ−ｏｎ−ｔｙｐｅ）インサートが装着される。スクリュー直接固定式インサートが様々な長所を有しているにもかかわらず、多くのユーザは、インサート交替時間に対して不満を持っている。１つのスクリュー直接固定式インサートを交替するためには、スクリューをインサートタップから完全に抜き出さなければならないので、特に多数のインサートを備えるミーリングカッターにおいては、時間が多くかかり、非常に煩雑な作業となる。大型ミーリングカッターの場合、インサート交替時間の遅延は、つまり製品の生産性低下につながる。図１に示されたように、もし接線（ｔａｎｇｅｎｔｉａｌ）方式のスクリュー直接固定式インサートが使用される場合、インサートのスクリューホールに起因してインサート長さがその分長くなるので、与えられたミーリングカッターのヘッドに装着することができる有効ブレードの個数に限界が生じるようになる。
【発明の概要】
【発明が解決しようとする課題】
【０００３】
本発明の目的は、簡単なクランピングメカニズムでインサートを迅速に交換することができるカッター装置を提供することにある。
【課題を解決するための手段】
【０００４】
本発明の実施例によるカッティング装置は、胴体にインサートを収容するポケットを備え、前記ポケットの隣接部に形成されたネジ孔に締結されるスクリューによって変位する変形グリップ部によってインサートをクランピングするカッター装置であって、前記インサートは、上面と下面が互いに平行であり、対向側面が互いに平行な六面体形状であり、前記対向側面のいずれか一対は、長さ方向に延長されたグルーブが形成され、他の一対の対向側面は、上下部エッジに切削ブレードが形成され、前記ポケットは、２つの側壁、後面壁、及び底面壁で形成され、前面及び上面が開放され、一方の側壁は、前記インサートの一方の側面に形成されたグルーブに構造的に対応する形状の案内突出部が長さ方向に延長されて形成され、他方の側壁は、前記変形グリップ部の一部としてインサートの他方の側面に形成されたグルーブに構造的に対応する案内突出部が長さ方向に延長されて形成され、前記スクリューは、ヘッド端部方向に拡径するテーパー部を有し、前記変形グリップ部は、前記ネジ孔を斜めに横切るスロットと、前記ポケットの他方の側壁の下部エッジによって形成されるネック部を有し、前記スクリューが締められるとき、テーパー部の加圧によって前記両案内突出部の間隔が狭くなるように弾性変位することを特徴とする。
【０００５】
本発明の実施例によるスロットの形成方向は、前記ネック部の断面が平行な対向辺を有するようにしたことを特徴とする。
【０００６】
本発明の実施例による変形グリップ部は、前記ポケットからカッター胴体の内側に向けて形成される補助スロットによって胴体から区画されることを特徴とする。
【０００７】
本発明の実施例によるインサートのグルーブは、その断面が対称の凹状円弧形状を有することを特徴とする。
【０００８】
本発明の実施例による両案内突出部間の非変位間隔は、インサートの上面及び下面の幅よりより小さく、インサートの両グルーブが形成する最小幅より大きいことを特徴とする。
【発明の効果】
【０００９】
本発明によるカッター装置は、インサート交替作業が大きく短縮される効果がある。本発明のインサートは、従来よりダイセット製作が容易であり、インサートの剛性が大きく増加する長所がある。また、インサートの長さが減少することによって、カッター装置ヘッドに装着される有効ブレードの数が増加する長所がある。
【図面の簡単な説明】
【００１０】
【図１】図１は、従来のカッター装置を示す斜視図である。
【図２】図２は、本発明の一実施例によるカッター装置の一部を示す分解斜視図である。
【図３】図３は、本発明の一実施例によるカッター装置の一部を示す断面図である。
【図４】図４は、本発明の一実施例によってインサートが装着されたカッター装置の部分を示す斜視図である。
【図５】図５は、本発明の一実施例によるカッター装置の部分を示す斜視図である。
【発明を実施するための形態】
【００１１】
以下、本発明によるカッター装置の具体的な実施例を説明する。本発明に添付された図面は、説明の便宜のためのものであり、その形状と相対的な尺度は、誇張されるか、または省略されることもできる。
【００１２】
本発明によるカッター装置は、インサート１００を収容するポケット２００を胴体に備えており、ポケット２００の隣接部に形成されたネジ孔４２０に締結されるスクリュー４００によって変位する変形グリップ部３００によってインサート１００をクランピングする。
【００１３】
インサート１００は、上面１１１と下面１１２が互いに平行であり、対向側面１２１、１２２、１２３、１２４が互いに平行な六面体形状であって、前記対向側面のいずれか一対１２１、１２２は、長さ方向に延長されたグルーブ１３１、１３２が形成され、他の一対の対向側面１２３、１２４は、上下部エッジに切削ブレードが形成される。インサートは、正方形、矩形、平行四辺形、または菱形などの形状を有することができる。
【００１４】
前記ポケット２００は、２つの側壁２１０、２２０、後面壁２４０、及び底面壁２３０で形成され、前面及び上面が開放される。一方の側壁２１０は、前記インサート１００の一方の側面１２１に形成されたグルーブ１３１に構造的に対応する形状の案内突出部２１１が長さ方向に延長されて形成され、他方の側壁２２０は、変形グリップ部（ｄｅｆｏｒｍａｂｌｅ  ｇｒｉｐｐｉｎｇ  ｐａｒｔ）３００によって形成され、インサート１００の他方の側面１２２に形成されたグルーブ１３２に構造的に対応する案内突出部３１１が長さ方向に延長されて形成される。ポケット２００の前面開放部は、カッター装置胴体のチップ排出溝（ｃｈｉｐ  ｇｕｌｌｅｔ）に形成される。ポケット２００の隣接部には、前記スクリュー４００が締結されることができるネジ孔４２０が設けられる。スクリュー４００は、ヘッド上面にレンチホールが形成され、ヘッド端部方向に拡径するテーパー部４１０を有する。
【００１５】
前記変形グリップ部３００は、ポケットの他方の側壁２２０と前記ネジ孔４２０を斜めに横切るスロット５１０によって胴体から区画され、前記スロット５１０と前記ポケットの他方の側壁２２０の下部エッジによって形成されるネック部（ｎｅｃｋ  ｐｏｒｔｉｏｎ）５２０とを有する。変形グリップ部３００は、前記スクリュー４００が締められるとき、テーパー部４１０の加圧によって前記案内突出部２１１、３１１の間隔が狭くなるように弾性変位し、その間に挿入されたインサート１００が堅固にクランピングされる。前記スロット５１０の形成方向は、前記ネック部５２０の断面が平行な対向辺を有するようにして、変形グリップ部３００が対向辺に垂直な方向に弾性変位が容易にすることが好ましい。前記変形グリップ部３００は、前記ポケットからカッター胴体内側に向けて形成される補助スロット５３０によって胴体から区画されることができる。この補助スロット５３０は、変形グリップ部３００がさらに容易に弾性変位可能にする。
【００１６】
前記インサート１００のグルーブ１３１、１３２は、その断面が対称の凹状円弧形状を有することによって、インサートの姿勢が上下左右に変わっても、同一の締結構造を維持する。これにより、ポケット２００の両案内突出部２１１、３１１は、その断面が凸状円弧形状を有するようになり、耐磨耗性の構造を有する。その他、前記インサート１００のグルーブ１３１、１３２は、凹状Ｖ型または凹状ノッチ（ｎｏｔｃｈ）型などで形成されることができる。
【００１７】
本明細書において長さ方向は、インサート１００が、インサート１００のグルーブ１３１、１３２にポケット２００の案内突出部２１１、３１１が嵌着された状態で滑って挿入されるか、または脱離される方向を意味する。
【００１８】
以下、本発明によるカッター装置にインサートを装着及び解除する動作を説明する。
ポケット２００の隣接部に形成されたネジ孔４２０にスクリュー４００を締結する。この際、スクリュー４００は、カッター装置胴体のネジ孔４２０に完全に締められていないし、変形グリップ部３００は、非変位状態である。
【００１９】
次に、インサート１００の両グルーブ１３１、１３２がポケット２００の案内突出部２１１、３１１に整合されるように、インサート１００をチップ排出溝内でポケット２００の前面開放部の前に位置させた後、インサート１００の後方側面１２４がポケット２００の後面壁２４０に接触するように長さ方向に押し込む。ここで、変形グリップ部３００の非変位状態で両案内突出部２１１、３１１によって形成される間隔は、インサートの上面１１１及び下面１１２の幅より小さく、インサート１００の両グルーブ１３１、１３２が形成する最小幅より大きくして、押し込まれたインサート１００の前後移動は可能であるが、ポケット２００から上向きに離脱しないようにすることが好ましい。
【００２０】
次に、ヘッド端部方向に拡径するテーパー部４１０を有するスクリュー４００を締めれば、テーパー部４１０が変形グリップ部３００を加圧し、変形グリップ部３００が弾性変位しながらスロット５１０の隙間が広がる。その結果、両案内突出部２１１、３１１によって形成される間隔が狭くなり、両案内突出部２１１、３１１の下部斜面がインサート１００の両グルーブ１３１、１３２の下部斜面を押圧し、インサート１００の下面１１２がポケット２００の底面壁２３０に強く密着するようにして、インサート１００のクランピングが完了する。
【００２１】
切削工程中に発生する切削抵抗荷重は、主にポケット２００の底面壁２３０及び後面壁２４０によって相殺されるので、変形グリップ部３００及びスクリュー４００が直接的に負担する荷重は非常に小さい。
【００２２】
インサート１００を脱離するときには、スクリュー４００を緩める場合、弾性変位していた変形グリップ部３００が非変位状態に戻り、両案内突出部２１１、３１１の間の間隔が広くなって、インサート１００が緩んだ状態で、インサート１００をポケットの前面開放部を通じてチップ排出溝側に引っぱって抜き取る。
【００２３】
以上説明したように、本発明によるカッター装置は、スクリューを部分的に緩めても、インサートの交替が可能なので、インサート交替作業が短縮される効果がある。本発明は、インサートにスクリューホールがないので、従来よりダイセット製作が容易であり、インサートの剛性が大きく増加する長所がある。また、インサートにスクリューホールがないので、従来よりインサートの長さを小さくしてもよいので、与えられたカッター装置ヘッドに装着される有効ブレードの数が増加する長所がある。本発明によるカッター装置は、図５に示されたように、多数のインサートが備えられるカッター装置に対して特に有用である。
【００２４】
以上で開示されたカッター装置は、基本的な思想を逸脱しない範囲内で多様な変形例が可能である。したがって、上記で開示された実施例は、いずれも例示的に解釈しなければならないし、限定的に解釈してはならない。したがって、本発明の保護範囲は、前述した一実施例ではなく、添付の請求項によって定められるべきである。添付の請求項の均等物への置換は、添付の請求項の保護範囲に属するものである。
【符号の説明】
【００２５】
１００  インサート
１１１  上面
１１２  下面
１２１、１２２、１２３、１２４  側面
１３１、１３２  グルーブ
２００  ポケット
２１０、２２０  側壁
２４０  後面壁
２３０  底面壁
２１１  案内突出部
３００  変形グリップ部
３１１  案内突出部
４００  スクリュー
４１０  テーパー部
５１０  スロット
５２０  ネック部
５３０  補助スロット
【図１】
2013523468.tif 000003
【図２】
2013523468.tif 000004
【図３】
2013523468.tif 000005
【図４】
2013523468.tif 000006
【図５】
2013523468.tif 000007
【国際調査報告】
2013523468.tif 000008
2013523468.tif 000009